(57)【要約】【課題】吸収要素と重ならない部分は薄く伸縮に適し、かつ吸収要素と重なる部分はふんわりとした手触り感に優れるパンツタイプ使い捨ておむつを提供する。【解決手段】上記課題は、前側外装体１２Ｆ及び後側外装体１２Ｂと、前側外装体１２Ｆから後側外装体１２Ｂにわたるように取り付けられた、吸収要素５０を内蔵する内装体２００とを備え、吸収要素５０の両側縁の位置よりも幅方方向中央側で、外装体における外側シート層１２Ｓより外側を通り前後方向ＬＤに延びる不織布からなるカバーシート１３を有し、吸収要素５０の両側縁の位置よりも幅方方向外側で、かつ外装体における外側シート層１２Ｓより外側に、カバーシート１３以外の不織布を有せず、カバーシート１３の内面は、前後端部を除いた領域では、少なくとも両側端部が対向面にホットメルト接着剤１３Ｈを介して接着されている、ことにより解決される。【選択図】図３
2018093948.tif 000002
【特許請求の範囲】
【請求項１】
前身頃の少なくとも胴周り領域及び後身頃の少なくとも胴周り領域を構成する外装体と、前身頃から後身頃にわたるように外装体に取り付けられた、吸収要素を内蔵する内装体とを備え、
前記外装体は、弾性部材と、前記弾性部材の内側に隣接する内側シート層と、前記弾性部材の外側に隣接する外側シート層とを有しており、
前身頃の前記外装体の両側部と後身頃の前記後側外装体の両側部とがそれぞれ接合され、ウエスト開口及び左右一対の脚開口が形成された、
パンツタイプ使い捨ておむつにおいて、
前記吸収要素の両側縁の位置よりも幅方方向中央側で、前記外装体における前記外側シート層より外側を通り前後方向に延びる不織布からなるカバーシートを有し、
前記吸収要素の両側縁の位置よりも幅方方向外側で、かつ前記外装体における前記外側シート層より外側に、前記カバーシート以外の不織布を有せず、
前記カバーシートの内面は、前後端部を除いた領域では、少なくとも両側端部が対向面にホットメルト接着剤を介して接着されている、
ことを特徴とするパンツタイプ使い捨ておむつ。
【請求項２】
前記内側シート層及び外側シート層は不織布であり、
前記内側シート層、外側シート層及びカバーシートの繊維配向が幅方向となっている、
請求項１記載のパンツタイプ使い捨ておむつ。
【請求項３】
前記カバーシートの前縁は前記吸収要素の前縁より後側に位置し、前記カバーシートの後縁は前記吸収要素の後縁より前側に位置している、
請求項１又は２記載のパンツタイプ使い捨ておむつ。
【請求項４】
前記カバーシートは、前身頃及び後身頃の少なくとも一方で、ウエスト開口に向かって延び、ウエスト開口で前記内側シート層より内側に折り返されている、
請求項１〜３のいずれか１項に記載のパンツタイプ使い捨ておむつ。
【請求項５】
前記外装体は、前記吸収要素と重なる領域の幅方向中間部に設けられた非伸縮領域と、この非伸縮領域の幅方向両側に設けられた伸縮領域とを有しており、
前記カバーシートは、前記非伸縮領域の幅方向範囲内に設けられている、
請求項１〜４のいずれか１項に記載のパンツタイプ使い捨ておむつ。
【請求項６】
前記外装体における前記外側シート層と前記カバーシートとの間に、前記カバーシートの内面に隣接する装飾印刷部分を有する装飾印刷シートが介在されている、
請求項１〜５のいずれか１項に記載のパンツタイプ使い捨ておむつ。
【請求項７】
前記外装体として、前身頃の少なくとも胴周り部を構成する前側外装体及び後身頃の少なくとも胴周り部を構成する後側外装体とを別々に備え、これら前側外装体及び後側外装体が前後方向中間で前後方向に離間しており、
前記内装体は、前記吸収要素の裏側を覆う液不透過性シートを有しており、
前記液不透過性シートは、前記内装体の裏面における少なくとも幅方向中間部に露出する露出部分を有しており、
前記液不透過性シートが、前記露出部分における前側外装体と後側外装体との間に位置する領域に装飾印刷部分を有する、前記装飾印刷シートであり、
前記カバーシートは、少なくとも前記前側外装体から前記後側外装体まで前後方向に延びている、
請求項１〜６のいずれか１項に記載のパンツタイプ使い捨ておむつ。
【請求項８】
前記内側シート層及び外側シート層は不織布であり、
前記カバーシートの厚みは、前記内側シート層及び前記外側シート層のそれぞれの厚みよりも厚い、
請求項１〜７のいずれか１項に記載のパンツタイプ使い捨ておむつ。
【請求項９】
前記カバーシートは、表裏に貫通する孔が間隔を空けて多数設けられた有孔不織布である、
請求項１〜８のいずれか１項に記載のパンツタイプ使い捨ておむつ。
【請求項１０】
第１の態様のパンツタイプ使い捨ておむつの製造方法において、
前記外装体となる部分がその幅方向とＭＤ方向とが一致するようにＭＤ方向に繰り返し連続する外装帯状体を形成する、外装体組立工程と、
前記外装帯状体を、おむつの幅方向がＭＤ方向となるように搬送しつつ、この外装帯状体における個々の外装体となる部位に、別途製造した展開状態の前記内装体を順次接合することによって、個々のおむつとなる部分が展開状態でＭＤ方向に連続する内装組み付け体を形成する、内装体取付工程と、
前記外装帯状体における前記内装体の接合面と反対側の面に、ＭＤ方向に間隔を空けて前記カバーシートを接着するカバーシート接着工程と、
前記内装組み付け体をＣＤ方向に二つ折りすることによって、二つ折り帯状体を形成する、折り畳み工程と、
前記二つ折り帯状体における個々のおむつの両側部となる部分において前記前身頃の外装体及び後身頃の外装体を接合するとともに、個々のおむつの境界において前記前身頃の外装体及び後身頃の外装体を切断し、個々のおむつを得る、側部接合切り離し工程とを含み、
前記カバーシート接着工程では、帯状に連続するカバーシートの帯状体をその連続方向に沿って搬送しつつ、その前記外装帯状体に対する接着面にＭＤ方向に連続的にホットメルト接着剤を塗布した後、ＭＤ方向に間隔を空けて個々のカバーシートに切断し、この切断したカバーシートを、前記外装帯状体における前記内装体の接合面と反対側の面に、ＭＤ方向に間隔を空けて接着する、
ことを特徴とするパンツタイプ使い捨ておむつの製造方法。
【請求項１１】
前記カバーシート接着工程の前に、前記カバーシートの帯状体における前記外装帯状体に対する接着面に、装飾印刷を施した樹脂フィルムを接着する樹脂フィルム接着工程を含み、
前記カバーシート接着工程で、前記樹脂フィルムを接着した前記カバーシートの帯状体における、前記外装帯状体に対する接着面に、ＭＤ方向に連続的にホットメルト接着剤を塗布した後、ＭＤ方向に間隔を空けて個々のカバーシートに切断し、この切断したカバーシートを、前記外装帯状体における前記内装体の接合面と反対側の面に、ＭＤ方向に間隔を空けて接着する、
請求項１０記載のパンツタイプ使い捨ておむつの製造方法。
【請求項１２】
前記カバーシート接着工程の前に、前記カバーシート接着工程に対する前記カバーシートの帯状体の供給ラインで、前記カバーシートに、表裏に貫通する孔を間隔を空けて多数形成する穿孔工程を含む、
請求項１０又は１１記載のパンツタイプ使い捨ておむつの製造方法。
【発明の詳細な説明】
【技術分野】
【０００１】
本発明は、パンツタイプ使い捨ておむつ及びその製造方法に関するものである。
【背景技術】
【０００２】
パンツタイプ使い捨ておむつは、前身頃及び後身頃を個別又は一体的に構成する外装体と、前身頃から後身頃にわたるように外装体に対して取り付けられた、吸収要素を含む内装体とを備え、前身頃の外装体の両側縁部と後身頃の外装体の両側縁部とが接合されてサイドシール部が形成されることにより、ウエスト開口及び左右一対の脚開口が形成されているものが一般的である。
【０００３】
このようなパンツタイプ使い捨ておむつでは、身体へのフィット性を向上させるために、外装体を複数のシート層を有する積層構造とするとともに、そのシート層間に、種々の弾性部材を伸長状態で取り付けることが行われており、中でも、サイドシール部と対応する前後方向範囲として定まる胴周り領域や、前後の胴周り領域の間に位置する中間領域に、幅方向に沿う細長状弾性部材が前後方向に間隔を空けてそれぞれ幅方向に伸長された状態で取り付けられ、伸縮領域が形成されているものは、身体に対するフィット性が比較的に高いものとなっている（例えば特許文献１〜５参照）。
【０００４】
ところで、一般的なパンツタイプ使い捨ておむつでは、外装体における吸収要素よりも幅方向外側の領域が伸縮性に富むことを要求されるものであるため、外装体における吸収要素よりも幅方向外側の領域では、伸縮性を損なったり厚ぼったくなったりしないよう、弾性部材の内側及び外側にそれぞれ隣接する内側シート層及び外側シート層は薄い不織布を用いることが好ましい。一方、外装体における内装体と重なる部分では内装体を有することによるごわごわした手触りを抑制するには、内側シート層及び外側シート層はふんわりとした厚みのある不織布を用いることが好ましい。
【０００５】
しかし、従来の外装体は幅方向に連続したシートで形成され、幅方向に連続した積層構造を有するため、吸収要素と重なる部分及び吸収要素と重ならない部分に相反する特性を持たせることができなかった。
【先行技術文献】
【特許文献】
【０００６】
【特許文献１】特開２００４−０７３４２８号公報
【特許文献２】特表２００６−５２５８５７号公報
【特許文献３】特開２０１１−１４７５１６号公報
【特許文献４】特開２０１４−０２８３０８号公報
【特許文献５】特許第４９６４９９３号公報
【特許文献６】特開２００１−０００４７８号公報
【特許文献７】特表２００１−５１７０９８号公報
【特許文献８】特開２００５−３１５６５１号公報
【発明の概要】
【発明が解決しようとする課題】
【０００７】
そこで、本発明の主たる課題は、吸収要素と重ならない部分は薄く伸縮に適し、かつ吸収要素と重なる部分はふんわりとした手触り感に優れるパンツタイプ使い捨ておむつを提供することにある。
【課題を解決するための手段】
【０００８】
上記課題を解決した本発明の代表的態様は以下のとおりである。
＜第１の態様＞
前身頃の少なくとも胴周り領域及び後身頃の少なくとも胴周り領域を構成する外装体と、前身頃から後身頃にわたるように外装体に取り付けられた、吸収要素を内蔵する内装体とを備え、
前記外装体は、弾性部材と、前記弾性部材の内側に隣接する内側シート層と、前記弾性部材の外側に隣接する外側シート層とを有しており、
前身頃の前記外装体の両側部と後身頃の前記後側外装体の両側部とがそれぞれ接合され、ウエスト開口及び左右一対の脚開口が形成された、
パンツタイプ使い捨ておむつにおいて、
前記吸収要素の両側縁の位置よりも幅方方向中央側で、前記外装体における前記外側シート層より外側を通り前後方向に延びる不織布からなるカバーシートを有し、
前記吸収要素の両側縁の位置よりも幅方方向外側で、かつ前記外装体における前記外側シート層より外側に、前記カバーシート以外の不織布を有せず、
前記カバーシートの内面は、前後端部を除いた領域では、少なくとも両側端部が対向面にホットメルト接着剤を介して接着されている、
ことを特徴とするパンツタイプ使い捨ておむつ。
【０００９】
（作用効果）
本態様では、吸収要素の両側縁の位置よりも幅方方向中央側で、外装体における外側シート層より外側を通り前後方向に延びる不織布からなるカバーシートが外装体に追加で重ね貼りされているとともに、吸収要素の両側縁の位置よりも幅方方向外側で、かつ外装体における前記外側シート層より外側には、カバーシート以外の不織布を有しないため、吸収要素と重ならない部分は薄く伸縮に適し、かつ吸収要素と重なる部分はふんわりとした手触り感に優れるものとなる。
しかも、単に外装体の外側に追加の不織布を重ね貼りしただけでは、外装体が幅方向に伸縮する際に、重ね貼りした不織布と外装体との継ぎ目が目立ったり、重ね貼りした不織布の側端部が剥離しやすくなったりするおそれがある。特に、カバーシートの側端部は、剛性が低い部分に位置していたり、変形を受けやすかったりすると、対向面に接着されていたとしても剥離するおそれがある。また、カバーシートの側端部が装着者の脚に擦れやすいと、より剥離のおそれが高いものとなるとともに、段差が肌触りを悪化させるおそれがある。これに対して、本態様では、カバーシートの側端部が、周囲よりも高剛性で変形を受けにくく、装着者の脚が擦れにくい領域内に位置しているため、対向面に対する接着が剥離しにくく、かつ肌触りが悪化しにくい。また、カバーシートの側端部が対向面に接着されているため、境界が継ぎ目なく一体化し、目立たつこともない。
さらに、本態様では、カバーシートの幅方範囲が、吸収要素を有する領域、つまり本来的に周囲よりも厚みがあり、柔軟性及び通気性が低い領域内に位置しているため、カバーシートによる厚みの増加及びそれによる柔軟性及び通気性の低下がほとんど問題とならないことはいうまでもない。
【００１０】
＜第２の態様＞
前記内側シート層及び外側シート層は不織布であり、
前記内側シート層、外側シート層及びカバーシートの繊維配向が幅方向となっている、
第１の態様のパンツタイプ使い捨ておむつ。
【００１１】
（作用効果）
このように、内側シート層、外側シート層及びカバーシートの繊維配向が幅方向で一致していると縦横の引張伸度(あるいは引張伸度の縦横比)が近くなるため、使用中に変形したとき、内側シート層、外側シート層及びカバーシートが一体的に変形することができ、重ね貼りしたカバーシートと外装体との継ぎ目が目立ちにくく、かつカバーシートの側端部が剥離しにくいものとなる。
【００１２】
＜第３の態様＞
前記カバーシートの前縁は前記吸収要素の前縁より後側に位置し、前記カバーシートの後縁は前記吸収要素の後縁より前側に位置している、
第１又は２の態様のパンツタイプ使い捨ておむつ。
【００１３】
（作用効果）
カバーシートの前縁及び後縁は、剛性が低い部分に位置していたり、変形を受けやすかったりすると、対向面から離間しやすく、対向面に接着されていたとしても剥離するおそれがある。そして、カバーシートの前縁及び後縁が対向面から離間又は剥離すると、カバーシートと外装体との境界部分の皺が目立って不自然な見た目になりやすい。これに対して、本第２の態様では、カバーシートの前縁及び後縁が、吸収要素を有する領域、つまり周囲よりも高剛性で変形を受けにくい領域内に位置しているため、対向面から離間又は剥離しにくくなり、カバーシートと外側シート層との境界部分の皺が目立って不自然な見た目となる事態を防止することができる。
【００１４】
＜第４の態様＞
前記カバーシートは、前身頃及び後身頃の少なくとも一方で、ウエスト開口に向かって延び、ウエスト開口で前記内側シート層より内側に折り返されている、
第１〜３のいずれか１つの態様のパンツタイプ使い捨ておむつ。
【００１５】
（作用効果）
カバーシートの前縁及び後縁が製品外面に露出せず、外観が良好となる。また、カバーシートの前縁及び後縁が衣類と擦れて剥離するといった事態が発生しにくい。
【００１６】
＜第５の態様＞
前記外装体は、前記吸収要素と重なる領域の幅方向中間部に設けられた非伸縮領域と、この非伸縮領域の幅方向両側に設けられた伸縮領域とを有しており、
前記カバーシートは、前記非伸縮領域の幅方向範囲内に設けられている、
第１〜４のいずれか１つの態様のパンツタイプ使い捨ておむつ。
【００１７】
（作用効果）
このようにカバーシートが非伸縮領域の幅方向範囲内に設けられていると、カバーシートの全体にわたり皺が少なく、美観に優れたものとなる。これに対し、カバーシートが伸縮領域まで延びていると、カバーシートにも収縮皺が形成されるため、カバーシートの側端部が剥離しやすくなったり、皺が目立って不自然な見た目となったりする。
【００１８】
＜第６の態様＞
前記外装体における前記外側シート層と前記カバーシートとの間に、前記カバーシートの内面に隣接する装飾印刷部分を有する装飾印刷シートが介在されている、
第１〜５のいずれか１つの態様のパンツタイプ使い捨ておむつ。
【００１９】
（作用効果）
本態様では、外装体における外側シート層とカバーシートとの間に、装飾印刷シートが介在されており、カバーシートのみを通して装飾印刷が透けて見えるようになるため、装飾印刷の視認性が高いものとなる。
【００２０】
＜第７の態様＞
前記外装体として、前身頃の少なくとも胴周り部を構成する前側外装体及び後身頃の少なくとも胴周り部を構成する後側外装体とを別々に備え、これら前側外装体及び後側外装体が前後方向中間で前後方向に離間しており、
前記内装体は、前記吸収要素の裏側を覆う液不透過性シートを有しており、
前記液不透過性シートは、前記内装体の裏面における少なくとも幅方向中間部に露出する露出部分を有しており、
前記液不透過性シートが、前記露出部分における前側外装体と後側外装体との間に位置する領域に装飾印刷部分を有する、前記装飾印刷シートであり、
前記カバーシートは、少なくとも前記前側外装体から前記後側外装体まで前後方向に延びている、
第１〜６のいずれか１つの態様のパンツタイプ使い捨ておむつ。
【００２１】
（作用効果）
内装体の裏面に露出する露出部分を有する液不透過性シートに装飾印刷を施す場合、本態様のような外装二分割構造を採用し、前側外装体及び後側外装体が前後方向に離間する部分に液不透過性シートの装飾印刷を露出させると、これをカバーシートにより被覆した部分ではカバーシートのみを通して装飾印刷が透けて見えるようになるため、液不透過性シートの装飾印刷の視認性を向上させることができる。また、カバーシートは、少なくとも前側外装体から後側外装体まで前後方向に延びているため、前側外装体及び後側外装体にわたり連続した外観及び肌触りとなる。
【００２２】
＜第８の態様＞
前記内側シート層及び外側シート層は不織布であり、
前記カバーシートの厚みは、前記内側シート層及び前記外側シート層のそれぞれの厚みよりも厚い、
第１〜７のいずれか１つの態様のパンツタイプ使い捨ておむつ。
【００２３】
（作用効果）
これにより、より一層、吸収要素と重ならない部分は薄く伸縮に適し、かつ吸収要素と重なる部分はふんわりとした手触り感に優れるものとなる。
【００２４】
＜第９の態様＞
前記カバーシートは、表裏に貫通する孔が間隔を空けて多数設けられた有孔不織布である、
第１〜８のいずれか１つの態様のパンツタイプ使い捨ておむつ。
【００２５】
（作用効果）
カバーシートがこのような有孔不織布であると、通気性、柔軟性、嵩高さ(ふんわり感)等を向上できるだけでなく、液不透過性シートの装飾印刷が見やすくなる。
【００２６】
＜第１０の態様＞
第１の態様のパンツタイプ使い捨ておむつの製造方法において、
前記外装体となる部分がその幅方向とＭＤ方向とが一致するようにＭＤ方向に繰り返し連続する外装帯状体を形成する、外装体組立工程と、
前記外装帯状体を、おむつの幅方向がＭＤ方向となるように搬送しつつ、この外装帯状体における個々の外装体となる部位に、別途製造した展開状態の前記内装体を順次接合することによって、個々のおむつとなる部分が展開状態でＭＤ方向に連続する内装組み付け体を形成する、内装体取付工程と、
前記外装帯状体における前記内装体の接合面と反対側の面に、ＭＤ方向に間隔を空けて前記カバーシートを接着するカバーシート接着工程と、
前記内装組み付け体をＣＤ方向に二つ折りすることによって、二つ折り帯状体を形成する、折り畳み工程と、
前記二つ折り帯状体における個々のおむつの両側部となる部分において前記前身頃の外装体及び後身頃の外装体を接合するとともに、個々のおむつの境界において前記前身頃の外装体及び後身頃の外装体を切断し、個々のおむつを得る、側部接合切り離し工程とを含み、
前記カバーシート接着工程では、帯状に連続するカバーシートの帯状体をその連続方向に沿って搬送しつつ、その前記外装帯状体に対する接着面にＭＤ方向に連続的にホットメルト接着剤を塗布した後、ＭＤ方向に間隔を空けて個々のカバーシートに切断し、この切断したカバーシートを、前記外装帯状体における前記内装体の接合面と反対側の面に、ＭＤ方向に間隔を空けて接着する、
ことを特徴とするパンツタイプ使い捨ておむつの製造方法。
【００２７】
（作用効果）
従来のように、内装体の裏面にカバーシートを取り付ける形態では、内装体の組み立てラインのＭＤ方向が内装体の前後方向とされ、カバーシートを貼り付ける際もカバーシートの前後方向がＭＤ方向とされていた。この場合、カバーシートを貼り付けるためのホットメルト接着剤は、カバーシートの側縁ぎりぎりに正確に塗布することが困難であったため、上述のようにカバーシートの両側端部をホットメルト接着剤を塗布することは困難であった。
これに対して、本態様のようにカバーシートを貼り付けると、カバーシートの前後端部以外は、カバーシートのちょうど側縁まで幅方向に連続的にホットメルト接着剤を塗布することができ、ホットメルト接着剤のはみ出しなく、カバーシートの側端部を対向面にしっかりと接着することができる。よって、第１の態様のパンツタイプ使い捨ておむつを容易に製造することができる。
【００２８】
＜第１１の態様＞
前記カバーシート接着工程の前に、前記カバーシートの帯状体における前記外装帯状体に対する接着面に、装飾印刷を施した樹脂フィルムを接着する樹脂フィルム接着工程を含み、
前記カバーシート接着工程で、前記樹脂フィルムを接着した前記カバーシートの帯状体における、前記外装帯状体に対する接着面に、ＭＤ方向に連続的にホットメルト接着剤を塗布した後、ＭＤ方向に間隔を空けて個々のカバーシートに切断し、この切断したカバーシートを、前記外装帯状体における前記内装体の接合面と反対側の面に、ＭＤ方向に間隔を空けて接着する、
第１０の態様のパンツタイプ使い捨ておむつの製造方法。
【００２９】
（作用効果）
本態様では、カバーシートの帯状体に樹脂フィルムを貼り付けた後に、個々のカバーシートに切断し、外装帯状体に貼り付けるため、切断後の個々のカバーシートの剛性が樹脂フィルムを有する分だけ高くなるため、外装帯状体に対対して間欠貼り付けする際に形状が安定し、安定した貼り付けが可能となる。
【００３０】
＜第１２の態様＞
前記カバーシート接着工程の前に、前記カバーシート接着工程に対する前記カバーシートの帯状体の供給ラインで、前記カバーシートに、表裏に貫通する孔を間隔を空けて多数形成する穿孔工程を含む、
第１０又は１１の態様のパンツタイプ使い捨ておむつの製造方法。
【００３１】
（作用効果）
カバーシートがこのような有孔不織布であると、通気性、柔軟性、嵩高さ(ふんわり感)等を向上できるため好ましい。この場合、カバーシートとして予め加工済みの有孔不織布を用いることもできるが、資材コストを削減するためにはインラインでの加工が好ましい。しかし、不織布に穿孔加工を施す場合、加工ラインの速度が速いほど安定して高精度の加工を行うことは困難となる。これに対して、上述の製造方法におけるカバーシート接着工程では、切断及び間欠貼り付けを行うことに起因して、カバーシート接着工程に対するカバーシートの帯状体の供給速度が遅くなるため、本態様のように、カバーシート接着工程に対するカバーシートの帯状体の供給ラインでカバーシートに対する穿孔工程を行うと、安定した穿孔加工が可能となる。
【発明の効果】
【００３２】
以上のとおり、本発明によれば、吸収要素と重ならない部分は薄く伸縮に適し、かつ吸収要素と重なる部分はふんわりとした手触り感に優れるパンツタイプ使い捨ておむつとなる、等の利点がもたらされる。
【図面の簡単な説明】
【００３３】
【図１】展開状態のパンツタイプ使い捨ておむつの内面を示す、平面図である。
【図２】展開状態のパンツタイプ使い捨ておむつの外面を示す、平面図である。
【図３】図１の２−２断面図である。
【図４】図１の３−３断面図である。
【図５】（ａ）図１の４−４断面図、及び（ｂ）図１の５−５断面図である。
【図６】パンツタイプ使い捨ておむつの斜視図（孔省略）である。
【図７】展開状態の内装体の外面を示す、平面図である。
【図８】展開状態の内装体の外面を外装体の輪郭とともに示す、平面図である。
【図９】（ａ）図１の４−４断面図、及び（ｂ）図１の５−５断面図である。
【図１０】図１の２−２断面図である。
【図１１】展開状態のパンツタイプ使い捨ておむつの外面を示す、平面図である。
【図１２】展開状態のパンツタイプ使い捨ておむつの外面を示す、平面図である。
【図１３】（ａ）図１２の４−４断面図、及び（ｂ）図１の５−５断面図である。
【図１４】有孔不織布の孔を示す、（ａ）斜視図、（ｂ）平面図、及び（ｃ）１−１断面図である。
【図１５】有孔不織布の孔を示す、（ａ）斜視図、（ｂ）平面図、及び（ｃ）１−１断面図である。
【図１６】有孔不織布の孔を示す、（ａ）斜視図、（ｂ）平面図、及び（ｃ）１−１断面図である。
【図１７】有孔不織布の要部拡大平面図である。
【図１８】カバーシートの接着部分の（ａ）（ｃ）断面図、（ｂ）（ｄ）平面図である。
【図１９】ホットメルト接着剤の塗布時の変化を示す平面図である。
【図２０】パンツタイプ使い捨ておむつの（ａ）製造設備のフロー図、及び（ｂ）組立状態の変化を示す平面図である。
【図２１】（ａ）（ｂ）ともに積層構造の要部を示す分解組立図である。
【図２２】積層構造の要部を示す分解組立図である。
【図２３】図１の２−２断面図である。
【図２４】図１の３−３断面図である。
【図２５】（ａ）図１の４−４断面図、及び（ｂ）図１の５−５断面図である。
【発明を実施するための形態】
【００３４】
以下、本発明の実施形態について、添付図面を参照しつつ詳説する。断面図における点模様部分はその表側及び裏側に位置する各構成部材を接合する接合手段としての接着剤を示しており、ホットメルト接着剤のベタ、ビード、カーテン、サミット若しくはスパイラル塗布、又はパターンコート（凸版方式でのホットメルト接着剤の転写）などにより、あるいは弾性部材の固定部分はこれに代えて又はこれとともにコームガンやシュアラップ塗布などの弾性部材の外周面への塗布により形成されるものである。ホットメルト接着剤としては、例えばＥＶＡ系、粘着ゴム系（エラストマー系）、オレフィン系、ポリエステル・ポリアミド系などの種類のものが存在するが、特に限定無く使用できる。各構成部材を接合する接合手段としてはヒートシールや超音波シール等の素材溶着による手段を用いることもできる。
【００３５】
図１〜図８は、パンツタイプ使い捨ておむつの一例を示している。本パンツタイプ使い捨ておむつは、前身頃Ｆの少なくとも胴周り部を構成する前側外装体１２Ｆ及び後身頃Ｂの少なくとも胴周り部を構成する後側外装体１２Ｂと、前側外装体１２Ｆから股間部を経て後側外装体１２Ｂまで延在するように外装体１２Ｆ，１２Ｂに取り付けられた、吸収要素５０を内蔵する内装体２００とを備えており、前側外装体１２Ｆの両側部と後側外装体１２Ｂの両側部とが接合されてサイドシール部１２Ａが形成されることにより、外装体１２Ｆ，１２Ｂの前後端部により形成される開口が装着者の胴を通すウエスト開口ＷＯとなり、内装体２００の幅方向両側において外装体１２Ｆ，１２Ｂの下縁及び内装体２００の側縁によりそれぞれ囲まれる部分が脚を通す脚開口ＬＯとなる。内装体２００は、尿等の排泄物等を吸収保持する部分であり、外装体１２Ｆ，１２Ｂは着用者の身体に対して内装体２００を支える機能を担う支持体である。また、符号Ｙは展開状態におけるおむつの全長（前身頃Ｆのウエスト開口ＷＯの縁から後身頃Ｂのウエスト開口ＷＯの縁までの前後方向長さ）を示しており、符号Ｘは展開状態におけるおむつの全幅を示している。
【００３６】
本形態のパンツタイプ使い捨ておむつは、サイドシール部１２Ａを有する前後方向範囲（ウエスト開口ＷＯから脚開口ＬＯの上端に至る前後方向範囲）として定まる胴周り領域Ｔと、脚開口ＬＯを形成する部分の前後方向範囲（前身頃Ｆのサイドシール部１２Ａを有する前後方向領域と後身頃Ｂのサイドシール部１２Ａを有する前後方向領域との間）として定まる中間領域Ｌとを有する。胴周り領域Ｔは、概念的にウエスト開口の縁部を形成するウエスト部Ｗと、これよりも下側の部分であるウエスト下方部Ｕとに分けることができる。通常、胴周り領域Ｔ内に幅方向ＷＤの伸縮応力が変化する境界（例えば弾性部材の太さや伸長率が変化する）を有する場合は、最もウエスト開口ＷＯ側の境界よりもウエスト開口ＷＯ側がウエスト部Ｗとなり、このような境界が無い場合は吸収体５６又は内装体２００よりもウエスト開口ＷＯ側がウエスト部Ｗとなる。これらの前後方向長さは、製品のサイズによって異なり、適宜定めることができるが、一例を挙げると、ウエスト部Ｗは１５〜４０ｍｍ、ウエスト下方部Ｕは６５〜１２０ｍｍとすることができる。一方、中間領域Ｌの両側縁は被着者の脚周りに沿うようにコ字状又は曲線状に括れており、ここが装着者の脚を入れる部位となる。この結果、展開状態のパンツタイプ使い捨ておむつは、全体として略砂時計形状をなしている。
【００３７】
（内装体）
内装体２００は任意の形状を採ることができるが、図示の形態では長方形である。内装体２００は、図３〜図５に示されるように、吸収要素５０と、吸収要素の表側を覆う液透過性のトップシート３０とを備えているものであり、吸収機能を担う本体である。符号４０は、トップシート３０を透過した液を速やかに吸収要素５０へ移行させるために、トップシート３０と吸収要素５０との間に設けられた中間シート（セカンドシート）を示しており、符号６０は、内装体２００の両脇に排泄物が漏れるのを防止するために、内装体２００の両側部から装着者の脚周りに接するように延び出た立体ギャザー６０を示している。
【００３８】
（トップシート）
トップシート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００３９】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００４０】
トップシート３０の両側部は、吸収要素５０の側縁で裏側に折り返しても良く、また折り返さずに吸収要素５０の側縁より側方にはみ出させても良い。
【００４１】
トップシート３０は、裏側部材に対する位置ずれを防止する等の目的で、ヒートシール、超音波シールのような素材溶着による接合手段や、ホットメルト接着剤により裏側に隣接する部材に固定することが望ましい。図示形態では、トップシート３０はその裏面に塗布されたホットメルト接着剤により中間シート４０の表面及び包装シート５８のうち吸収体５６の表側に位置する部分の表面に固定されている。
【００４２】
（中間シート）
トップシート３０を透過した液を速やかに吸収体へ移行させるために、トップシート３０より液の透過速度が速い、中間シート（セカンドシートとも呼ばれている）４０を設けることができる。この中間シート４０は、液を速やかに吸収体へ移行させて吸収体による吸収性能を高め、吸収した液の吸収体からの逆戻り現象を防止するためのものである。中間シート４０は省略することもできる。
【００４３】
中間シート４０としては、トップシート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは１７〜８０ｇ／ｍ2が好ましく、２５〜６０ｇ／ｍ2がより好ましい。不織布の原料繊維の太さは２．０〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００４４】
図示の形態の中間シート４０は、吸収体５６の幅より短く中央に配置されているが、全幅にわたって設けてもよい。中間シート４０の前後方向長さは、おむつの全長と同一でもよいし、吸収要素５０の長さと同一でもよいし、液を受け入れる領域を中心にした短い長さ範囲内であってもよい。
【００４５】
中間シート４０は、裏側部材に対する位置ずれを防止する等の目的で、ヒートシール、超音波シールのような素材溶着による接合手段や、ホットメルト接着剤により裏側に隣接する部材に固定することが望ましい。図示形態では、中間シート４０はその裏面に塗布されたホットメルト接着剤により包装シート５８のうち吸収体５６の表側に位置する部分の表面に固定されている。
【００４６】
（立体ギャザー）
立体ギャザー６０は、内装体２００の両側部に沿って前後方向ＬＤの全体にわたり延在し、内装体２００の側部から表側に立ち上がり、装着者の脚周りに接して横漏れを防止するものである。
【００４７】
本形態の立体ギャザー６０は、付け根側部分６０Ｂが幅方向中央側に向かって斜めに起立し、中間部より先端側部分６０Ａが幅方向外側に向かって斜めに起立するものであるが、これに限定されるものではなく、全体として幅方向中央側に起立する形態等、適宜の変更が可能である。より詳細に説明すると、本形態の立体ギャザー６０は、内装体２００の前後方向長さに等しい長さを有する帯状のギャザー不織布６２を、先端となる部分で幅方向ＷＤに折り返して二つに折り重ねるとともに、折り返し部分及びその近傍のシート間に、細長状のギャザー弾性部材６３を長手方向に沿って伸長状態で、幅方向ＷＤに間隔を空けて複数本固定してなるものである。立体ギャザー６０のうち先端部と反対側に位置する基端部（幅方向ＷＤにおいてシート折り返し部分と反対側の端部）は、内装体２００における裏側の側部に固定された付根部分６５とされ、この付根部分６５以外の部分は付根部分６５から延び出る本体部分６６（折り返し部分側の部分）とされている。また、本体部分６６は、幅方向中央側に延びる付け根側部分６０Ｂと、この付け根側部分６０Ｂの先端で折り返され、幅方向外側に延びる先端側部分６０Ａとを有している。この形態は面接触タイプの立体ギャザー６０であるが、幅方向外側に折り返されない線接触タイプの立体ギャザー６０も採用することができる。そして、本体部分６６のうち前後方向両端部が倒伏状態でトップシート３０の側部表面に対して固定された倒伏部分６７とされる一方で、これらの間に位置する前後方向中間部は非固定の自由部分６８とされ、この自由部分６８の少なくとも先端部に前後方向ＬＤに沿うギャザー弾性部材６３が伸長状態で固定されている。
【００４８】
以上のように構成された立体ギャザー６０では、細長状弾性部材６３の収縮力が前後方向両端部を近づけるように作用するが、本体部分６６のうち前後方向両端部が起立しないように固定されるのに対して、それらの間は非固定の自由部分６８とされているため、自由部分６８のみが図３に示すように身体側に当接するように起立する。特に、付根部分６５が内装体２００の裏側に位置していると、股間部及びその近傍において自由部分６８が幅方向外側に開くように起立するため、立体ギャザー６０が脚周りに面で当接するようになり、フィット性が向上するようになる。
【００４９】
ギャザー不織布６２としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコンなどにより撥水処理を施したものを好適に用いることができ、繊維目付けは１０〜３０ｇ／ｍ2程度とするのが好ましい。細長状弾性部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。なお、用語「伸長率」は自然長を１００％としたときの値を意味する。また、図示のように、二つに折り重ねたギャザー不織布６２の間に防水フィルム６４を介在させることもでき、この場合には防水フィルム６４の存在部分においてギャザー不織布６２を部分的に省略することもできるが、製品の外観及び肌触りを布のようにするためには、図示形態のように、少なくとも立体ギャザー６０の基端から先端までの外面がギャザー不織布６２で形成されていることが必要である。
【００５０】
本形態の立体ギャザー６０のように、本体部分６６が、幅方向中央側に延びる付け根側部分６０Ｂと、この付け根側部分６０Ｂの先端で折り返され幅方向外側に延びる先端側部分６０Ａとからなる屈曲形態では、倒伏部分６７で、先端側部分６０Ａと付け根側部分６０Ｂとが倒伏状態で接合されるとともに、付け根側部分６０Ｂが倒伏状態でトップシート３０に接合される。倒伏部分６７における対向面の接合には、種々の塗布方法によるホットメルト接着剤、及びヒートシールや超音波シール等の素材溶着による手段の少なくとも一方を用いることができる。この場合において、付け根側部分６０Ｂ及びトップシート３０の接合と、先端側部分６０Ａ及び付け根側部分６０Ｂの接合とを同じ手段により行っても、また異なる手段により行っても良い。例えば、付け根側部分６０Ｂ及びトップシート３０の接合をホットメルト接着剤により行い、先端側部分６０Ａ及び付け根側部分６０Ｂの接合を素材溶着により行うのは一つの好ましい形態である。
【００５１】
立体ギャザー６０の自由部分に設けられる細長状弾性部材６３の本数は２〜６本が好ましく、３〜５本がより好ましい。配置間隔６０ｄは３〜１０ｍｍが適当である。このように構成すると、細長状弾性部材６３を配置した範囲で肌に対して面で当たりやすくなる。先端側だけでなく付け根側にも細長状弾性部材６３を配置しても良い。
【００５２】
立体ギャザー６０の自由部分６８では、ギャザー不織布６２の内側層及び外側層の貼り合わせや、その間に挟まれるギャザー弾性部材６３の固定に、種々の塗布方法によるホットメルト接着剤及びヒートシールや超音波シール等の素材溶着による固定手段の少なくとも一方を用いることができる。ギャザー不織布６２の内側層及び外側層の全面を貼り合わせると柔軟性を損ねるため、ギャザー弾性部材６３の接着部以外の部分は接着しないか弱く接着するのが好ましい。図示形態では、コームガンやシュアラップノズル等の塗布手段によりギャザー弾性部材６３の外周面にのみホットメルト接着剤を塗布してギャザー不織布６２の内側層及び外側層間に挟むことにより、当該ギャザー弾性部材６３の外周面に塗布したホットメルト接着剤のみで、ギャザー不織布６２の内側層及び外側層への細長状弾性部材の固定と、ギャザー不織布６２の内側層及び外側層間の固定とを行う構造となっている。
【００５３】
同様に、立体ギャザー６０に組み込まれる防水フィルム６４とギャザー不織布６２との固定や、倒伏部分６７の固定についても、種々の塗布方法によるホットメルト接着剤、及びヒートシールや超音波シール等の素材溶着による手段の少なくとも一方を用いることができる。
【００５４】
本形態の立体ギャザー６０の寸法は適宜定めることができるが、乳幼児用紙おむつの場合は、例えば図３に示すように、立体ギャザー６０の起立高さ（展開状態における本体部分６６の幅方向長さ）Ｗ２は１５〜６０ｍｍ、特に２０〜４０ｍｍであるのが好ましい。また、立体ギャザー６０をトップシート３０表面と平行になるように、平坦に折り畳んだ状態において最も内側に位置する折り目間の離間距離Ｗ１は６０〜１９０ｍｍ、特に７０〜１４０ｍｍであるのが好ましい。
【００５５】
（吸収要素）
吸収要素５０は、吸収体５６と、この吸収体５６の全体を包む包装シート５８とを有する。吸収体５６が形状維持性に優れる場合等、必要に応じて包装シート５８は省略することもできる。
【００５６】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００５７】
吸収体５６は長方形形状でも良いが、図１及び図７等にも示すように、前後方向中間に、その前後両側よりも幅が狭い括れ部５６Ｎとを有する砂時計形状をなしていると、吸収体５６自体と立体ギャザー６０の、脚周りへのフィット性が向上するため好ましい。
【００５８】
また、吸収体５６の寸法は排尿口位置の前後左右にわたる限り適宜定めることができるが、前後方向ＬＤ及び幅方向ＷＤにおいて、内装体２００の周縁部又はその近傍まで延在しているのが好ましい。なお、符号５６Ｘは吸収体５６の全幅を示している。
【００５９】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子５４としては、この種の吸収性物品に使用されるものをそのまま使用できる。高吸収性ポリマー粒子の粒径は特に限定されないが、例えば５００μｍの標準ふるい（ＪＩＳ Ｚ８８０１−１：２００６）を用いたふるい分け（５分間の振とう）、及びこのふるい分けでふるい下に落下する粒子について１８０μｍの標準ふるい（ＪＩＳ Ｚ８８０１−１：２００６）を用いたふるい分け（５分間の振とう）を行ったときに、５００μｍの標準ふるい上に残る粒子の割合が３０重量％以下で、１８０μｍの標準ふるい上に残る粒子の割合が６０重量％以上のものが望ましい。
【００６０】
高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００６１】
高吸収性ポリマー粒子としては、吸水速度が７０秒以下、特に４０秒以下のものが好適に用いられる。吸水速度が遅すぎると、吸収体５６内に供給された液が吸収体５６外に戻り出てしまう所謂逆戻りを発生し易くなる。
【００６２】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００６３】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００６４】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００６５】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、且つその前後縁部を吸収体５６の前後からはみ出させ、巻き重なる部分及び前後はみ出し部分の重なり部分をホットメルト接着剤、素材溶着等の接合手段により接合する形態が好ましい。
【００６６】
（液不透過性シートを有しない部分）
図３〜図５に示す形態では、内装体２００の少なくとも幅方向中間部は、吸収要素５０より外側に液不透過性シート１１を有しない部分２０３となっている。すなわち、本形態では、従来は内装体２００に設けられることが常識であった、裏側への染み出しを防止する液不透過性シート１１が内装体２００に設けられていない。なお、本形態では、立体ギャザー６０に内蔵された防水フィルム６４が、内装体２００の幅方向両端部における吸収要素５０の裏側まで延びているため、幅方向両端部は液不透過性シート１１を有する部分となっているが、立体ギャザー６０に防水フィルム６４がない形態、又はあっても内装体２００の裏側まで延びていない形態とすることもでき、その場合、内装体２００の幅方向全体が吸収要素５０より外側に液不透過性シート１１を有しない部分となる。また、立体ギャザー６０の防水フィルム６４以外の防水フィルムが、内装体２００の幅方向ＷＤ両端部における吸収要素５０より外側に設けられていてもよい。
【００６７】
（外装体）
外装体１２Ｆ，１２Ｂは、前身頃Ｆの少なくとも胴周り部を構成する部分である前側外装体１２Ｆと、後身頃Ｂの少なくとも胴周り部を構成する部分である後側外装体１２Ｂとからなり、前側外装体１２Ｆ及び後側外装体１２Ｂは股間側で連続しておらず、前後方向ＬＤに離間されている。この離間距離１２ｄは例えば１５０〜２５０ｍｍ程度とすることができる。また、図１２及び図１３に示すように、外装体１２が、前身頃Ｆから後身頃Ｂにかけて股間を通り連続する一体的なものとすることもできる（外装一体タイプ）。
【００６８】
外装体１２Ｆ，１２Ｂは、胴周り領域Ｔと対応する前後方向範囲である胴周り部を有する。また、本形態では、前側外装体１２Ｆよりも後側外装体１２Ｂの方が前後方向寸法が長くなっており、前側外装体１２Ｆには中間領域Ｌと対応する部分を有していないが、後側外装体１２Ｂは胴周り領域Ｔから中間領域Ｌ側に延び出た臀部カバー部Ｃを有している。図示しないが、前側外装体１２Ｆにも胴周り領域Ｔから中間領域Ｌ側に延び出る鼠蹊カバー部を設けたり、鼠径カバー部は設けるものの臀部カバー部は設けない形態としたり、前側外装体１２Ｆ及び後側外装体１２Ｂの両方に中間領域Ｌと対応する部分を設けなくても良い。また、図示形態では、臀部カバー部Ｃの下縁は、前側外装体１２Ｆの下縁と同様、幅方向ＷＤに沿う直線状に形成しているが、幅方向外側に向かうにつれてウエスト開口側に位置するようになる曲線とすることもできる。
【００６９】
外装体１２Ｆ，１２Ｂは、図４及び図５に示されるように、後述する弾性部材１５〜１９の外側及び内側にそれぞれ位置する外側シート層１２Ｓ及び内側シート層１２Ｈがホットメルト接着剤や溶着等の接合手段により接合されたものである。外側シート層１２Ｓを形成するシート材及び内側シート層１２Ｈを形成するシート材は、共通の一枚のシート材とする他、個別のシート材とすることもできる。すなわち、前者の場合、外装体の一部又は全部において、ウエスト開口ＷＯの縁（股間側の縁としても良い）で折り返された一枚のシート材の内側の部分及び外側の部分により内側シート層１２Ｈ及び外側シート層１２Ｓがそれぞれ形成される。なお、前者の形態では、シート材の資材数が少ないという利点があり、後者の形態では内側シート層１２Ｈ及び外側シート層１２Ｓを貼り合わせる際に位置ずれしにくいという利点がある。図示形態は後者に相当するものであり、内側シート層１２Ｈを形成するシート材はウエスト開口ＷＯの縁までしか延在していないが、外側シート層１２Ｓを形成するシート材は、内側シート層１２Ｈのシート材のウエスト側の縁を回り込んでその内側に折り返されており、この折り返し部分１２ｒは内装体２００のウエスト側端部上までを被覆するように延在されている。
【００７０】
外側シート層１２Ｓ及び内側シート層１２Ｈに用いるシート材としては、特に限定無く使用できるが不織布が好ましく、例えば、ポリエチレンやポリプロピレン等のオレフィン系、ポリエステル系、ポリアミド系等の合成繊維や、これらから二種以上が使用された混合繊維、複合繊維などからなる不織布を使用することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その目付けは１０〜３０ｇ／ｍ2程度とするのが好ましい。また、外側シート層１２Ｓに用いる不織布、及び内側シート層１２Ｈに用いる不織布の厚みはそれぞれ０．１〜０．５ｍｍであることが好ましい。
【００７１】
また、外装体１２Ｆ，１２Ｂに用いる不織布の総目付け（外側シート層１２Ｓの目付け及び内側シート層１２Ｈの目付けの和）は２０〜６０ｇ／ｍ2程度であるのが好ましい。
【００７２】
（伸縮領域・非伸縮領域）
外装体１２Ｆ，１２Ｂには、装着者の胴周りに対するフィット性を高めるために、外側シート層１２Ｓ及び内側シート層１２Ｈ間に弾性部材１５〜１９が設けられ、弾性部材１５〜１９の伸縮を伴って幅方向ＷＤに弾性伸縮する伸縮領域Ａ２が形成されていると好ましい。この伸縮領域Ａ２では、自然長の状態では外側シート層１２Ｓ及び内側シート層１２Ｈが弾性部材の収縮に伴って収縮し、皺又は襞が形成されており、弾性部材の長手方向に伸長すると、外側シート層１２Ｓ及び内側シート層１２Ｈが皺なく伸び切る所定の伸長率まで伸長が可能である。弾性部材１５〜１９としては、糸ゴム等の細長状弾性部材（図示例）の他、帯状、網状、フィルム状等、公知の弾性部材を特に限定なく用いることができる。弾性部材１５〜１９としては合成ゴムを用いても、天然ゴムを用いても良い。
【００７３】
外装体１２Ｆ，１２Ｂにおける外側シート層１２Ｓ及び内側シート層１２Ｈの貼り合わせや、その間に挟まれる弾性部材１５〜１９の固定には、種々の塗布方法によるホットメルト接着剤及びヒートシールや超音波シール等の素材溶着による固定手段の少なくとも一方を用いることができる。外装体１２Ｆ，１２Ｂ全面を強固に固定すると柔軟性を損ねるため、弾性部材１５〜１９の接着部以外の部分は接着しないか弱く接着するのが好ましい。図示形態では、コームガンやシュアラップノズル等の塗布手段により細長状弾性部材１５〜１９の外周面にのみホットメルト接着剤を塗布して両シート層１２Ｓ，１２Ｈ間に挟むことにより、当該細長状弾性部材１５〜１９の外周面に塗布したホットメルト接着剤のみで、両シート層１２Ｓ，１２Ｈへの細長状弾性部材１５〜１９の固定と、両シート層１２Ｓ，１２Ｈ間の固定とを行う構造となっている。弾性部材１５〜１９は伸縮領域における伸縮方向の両端部のみ、外側シート層１２Ｓ及び内側シート層１２Ｈに固定することができる。
【００７４】
図示形態の弾性部材１５〜１９についてより詳細に説明すると、外装体１２Ｆ，１２Ｂのウエスト部Ｗにおける外側シート層１２Ｓ及び内側シート層１２Ｈ間には、幅方向ＷＤの全体にわたり連続するように、複数のウエスト部弾性部材１７が前後方向に間隔を空けて取り付けられている。また、ウエスト部弾性部材１７のうち、ウエスト下方部Ｕに隣接する領域に配設される１本又は複数本については、内装体２００と重なっていてもよいし、内装体２００と重なる幅方向中央部を除いてその幅方向両側にそれぞれ設けてもよい。このウエスト部弾性部材１７としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度設けるのが好ましく、これによるウエスト部Ｗの幅方向ＷＤの伸長率は１５０〜４００％、特に２２０〜３２０％程度であるのが好ましい。また、ウエスト部Ｗは、その前後方向ＬＤの全てに同じ太さのウエスト部弾性部材１７を用いたり、同じ伸長率にしたりする必要はなく、例えばウエスト部Ｗの上部と下部で弾性部材１７の太さや伸長率が異なるようにしてもよい。
【００７５】
また、外装体１２Ｆ，１２Ｂのウエスト下方部Ｕにおける外側シート層１２Ｓ及び内側シート層１２Ｈ間には、細長状弾性部材からなるウエスト下方部弾性部材１５，１９が複数本、前後方向に間隔を空けて取り付けられている。
【００７６】
ウエスト下方部弾性部材１５，１９としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度設けるのが好ましく、これによるウエスト下方部Ｕの幅方向ＷＤの伸長率は２００〜３５０％、特に２４０〜３００％程度であるのが好ましい。
【００７７】
また、後側外装体１２Ｂの臀部カバー部Ｃにおける外側シート層１２Ｓ及び内側シート層１２Ｈ間には、細長状弾性部材からなるカバー部弾性部材１６が取り付けられている。
【００７８】
カバー部弾性部材１６としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１本、又は前後方向に間隔を空けて複数本設けるのが好ましく、これによる臀部カバー部Ｃの幅方向ＷＤの伸長率は１５０〜３００％、特に１８０〜２６０％であるのが好ましい。
【００７９】
前側外装体１２Ｆに鼠径カバー部を設ける場合には同様にカバー部弾性部材を設けることができる。
【００８０】
図２等に示される形態のウエスト下方部Ｕや臀部カバー部Ｃのように、吸収体５６を有する前後方向範囲に弾性部材１５，１６，１９を設ける場合には、その一部又は全部において吸収体５６の幅方向ＷＤの収縮を防止するために、吸収体５６と幅方向ＷＤに重なる部分の一部又は全部を含む幅方向中間（好ましくは内外接合部２０１，２０２の全体を含む）が非伸縮領域Ａ１とされ、その幅方向両側が伸縮領域Ａ２とされる。ウエスト部Ｗは幅方向ＷＤの全体にわたり伸縮領域Ａ２とされるのが好ましいが、ウエスト下方部Ｕと同様に、幅方向中間に非伸縮領域Ａ１を設けても良い。もちろん、図１１に示される形態のように、弾性部材の切断を行わず、非伸縮領域Ａ１を設けなくてもよい。
【００８１】
このような伸縮領域Ａ２及び非伸縮領域Ａ１は、内側シート層１２Ｈと、外側シート層１２Ｓとの間に、弾性部材１５〜１７，１９を供給し、弾性部材１５，１６，１９を伸縮領域Ａ２における少なくとも伸縮方向の両端部でホットメルト接着剤を介して固定し、非伸縮領域Ａ１となる領域では固定せず、非伸縮領域Ａ１となる領域において、弾性部材１５，１６，１９を幅方向中間の１か所で加圧及び加熱により切断するか、又は弾性部材１５，１６，１９のほぼ全体を加圧及び加熱により細かく切断し、伸縮領域Ａ２に伸縮性を残しつつ非伸縮領域Ａ１では伸縮性を殺すことにより構築することができる。前者の場合、図４に示すように、非伸縮領域Ａ１には、伸縮領域Ａ２の弾性部材１５，１６，１９から連続する切断残部が不要弾性部材１８として単独で自然長まで収縮した状態で、外側シート層１２Ｓ及び内側シート層１２Ｈ間に残ることとなり、後者の場合、図示しないが、伸縮領域Ａ２の弾性部材１５，１６，１９から連続する切断残部、及び両方の伸縮領域Ａ２の弾性部材１５，１６，１９と連続しない弾性部材の切断片が不要弾性部材として単独で自然長まで収縮した状態で、外側シート層１２Ｓ及び内側シート層１２Ｈ間に残ることになる。
【００８２】
（内外接合部）
内装体２００の外装体１２Ｆ，１２Ｂに対する固定は、ヒートシール、超音波シールのような素材溶着による接合手段や、ホットメルト接着剤により行うことができる。この内装体２００と外装体１２Ｆ，１２Ｂとを固定する内外接合部２０１，２０２は、両者が重なる領域のほぼ全体に設けることができ、例えば内装体２００の幅方向両端部を除いた部分に設けることもできる。
【００８３】
（液不透過性シート）
本形態では、図２１（ｂ）にも示すように、外装体１２Ｆ，１２Ｂにおける外側シート層１２Ｓより外側に、内装体２００における液不透過性シート１１を有しない部分２０３の全体を覆う、樹脂フィルムからなる液不透過性シート１１が設けられている。この点で、本形態は、図２１（ａ）に示すように外装体１２Ｆ，１２Ｂより内側に液不透過性シート１１を有する従来形態と異なっている。また、この液不透過性シート１１は図２及び図７に示すように装飾印刷２７が施された装飾印刷シートとなっており、この他には装飾専用のものを含め、装飾印刷シートは設けられていない。
【００８４】
液不透過性シート１１は、内装体２００における液不透過性シート１１を有しない部分の全体２０３を覆う限り、その前後方向及び幅方向の寸法及び位置は適宜定めることができる。通常、液不透過性シート１１は、外装二分割タイプの場合は図８に示すように、内装体２００の最も幅の狭い部分（図示形態の場合、内装体２００の全幅２００ｘ）の幅方向範囲内に、より狭い全幅１１ｘで設けられているのが好ましく、外装一体タイプの場合は図１２に示すように、外装体１２又は内装体２００のうち最も幅の狭い部分の幅が広い方（図示形態では外装体１２）の、最も幅の狭い部分の幅方向範囲内に、より狭い全幅１１ｘで設けられていることが好ましい。また、液不透過性シート１１の全幅１１ｘは、内装体２００の液不透過性シート１１を有しない部分２０３の全幅より１０ｍｍ以上広いことが好ましい。特に、漏れ防止性を向上させるために、立体ギャザー６０が内装体２００の裏側の側部に固定された付根部分６５を有する場合、この付根部分６５と、液不透過性シート１１とは幅方向に５ｍｍ以上の重なり部分を有することが好ましい。さらに、図示形態のように、立体ギャザー６０が付根部分６５に防水フィルム６４を含む形態では、付根部分６５の防水フィルムと、液不透過性シート１１とは幅方向に５ｍｍ以上の重なり部分を有することが好ましい。
【００８５】
液不透過性シート１１の前後方向寸法１１ｙは、図８に示すように吸収要素５０の前後方向寸法と同じで、吸収要素５０と同じ前後方向範囲に設けられていれば足りるが、図９に示すように吸収要素５０より長く、吸収要素５０よりも広い前後方向範囲に設けられているのも好ましい。液不透過性シート１１は、図９に示されるカバーシート１３と同様にウエスト開口で外装体１２Ｆ，１２Ｂの内側に折り返すこともできるが、図８に示すように、外装体１２Ｆ，１２Ｂの外側にのみ設ける場合、液不透過性シート１１のウエスト開口ＷＯ側の縁はウエスト開口ＷＯよりも股間側に離間していることが好ましく、特にウエスト部Ｗよりも股間側に位置していることが好ましい。
【００８６】
特に、本形態のような外装二分割タイプの場合、前側外装体１２Ｆ及び後側外装体１２Ｂが前後方向ＬＤに離間する位置は、尿の供給位置に該当し、特に漏れ防止性が重要となる領域である。本形態では、液不透過性シート１１が外装体１２Ｆ，１２Ｂの外側に位置することになるが、このような外装二分割構造では、前側外装体１２Ｆ及び後側外装体１２Ｂが前後方向ＬＤに離間する位置において、内装体２００における液不透過性シート１１を有しない部分２０３を、外装体１２Ｆ，１２Ｂを介さずに液不透過性シート１１で被覆することができるため、尿が外装体１２Ｆ，１２Ｂ内を浸透して外部に染み出しにくいものとなる。特に、立体ギャザー６０が内装体２００の裏側の側部に固定された付根部分６５を有する場合、前側外装体１２Ｆ及び後側外装体１２Ｂが前後方向ＬＤに離間する位置では、立体ギャザー６０の付根部分６５と、液不透過性シート１１とを直接接着することができ、漏れ防止性に優れた構造とすることができる。さらに、後述するカバーシート１３が前側外装体１２Ｆ及び後側外装体１２Ｂにわたり設けられるため、前側外装体１２Ｆ及び後側外装体１２Ｂにわたり連続した外観及び肌触りとなる。
【００８７】
液不透過性シート１１の素材は、特に限定されるものではないが、例えば、ポリエチレンやポリプロピレン等のオレフィン系樹脂等からなるプラスチックフィルムを例示することができる。液不透過性シート１１には、ムレ防止の観点から好まれて使用されている不液透過性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。
【００８８】
液不透過性シート１１には、装飾のための模様（絵やワンポイントのキャラクター含む）、使用方法や使用補助、サイズ等の機能表示、あるいは製造者や製品名、特徴的機能等の標章表示等の装飾印刷が付加される。液不透過性シート１１に不透明性の高い樹脂フィルムを用いる場合には印刷を外面に施す必要があるが、例えば、透明性が高い樹脂フィルムを用いる場合には、液不透過性シート１１の内面に印刷部を設けることもできる。
【００８９】
液不透過性シート１１の内面は、外装一体タイプの場合は対向面である外装体の外側シート層１２Ｓに対して、また外装二分割タイプの場合には前側外装体１２Ｆ及び後側外装体１２Ｂの外側シート層１２Ｓ及び内装体２００の裏面に対してホットメルト接着剤１１Ｈを介して接着される。液不透過性シート１１は、その前後端部を除いた主要領域では、少なくとも両側端部（好ましくは幅方向全体）は、製品長手方向に連続して接着されていることが好ましい。さらに、図示形態のように、立体ギャザー６０が付根部分６５に防水フィルム６４を含む形態では、付根部分６５の防水フィルム６４と、液不透過性シート１１とが重なる部分において、防水フィルム６４と液不透過性シート１１との間に位置するすべての接着剤層（接着剤層が一層の場合はその層）の幅は３ｍｍ以上、特に５ｍｍ以上であることが好ましく、接着剤層が複数の場合、すべての接着剤層が重なる部分を有していることが好ましく、その接着剤層の重なる部分の幅は３ｍｍ以上であることが好ましい。液不透過性シート１１の前後端部は、外装体１２Ｆ，１２Ｂに対して非接着とする他、それらの間の領域と同様に接着することもできる。
【００９０】
（カバーシート）
液不透過性シート１１の外面全体は、不織布からなるカバーシート１３により被覆される。これにより、液不透過性シート１１を外装体１２Ｆ，１２Ｂの外側に設けても、布のような製品外面となる。また、この液不透過性シート１１に装飾印刷２７が設けられているため、専用の装飾印刷２７シートを用いる必要がなくなるだけでなく、カバーシート１３を介して透けて見える装飾印刷２７とはなるが、装飾印刷２７が製品外面に近く、より明瞭に視認できるようになる。
【００９１】
図示形態では、一枚のカバーシート１３で液不透過性シート１１の外面全体を覆っているが、カバーシート１３を前身頃と後身頃とで別々に設ける等、複数枚で液不透過性シート１１の外面全体を覆うように構成してもよい。
【００９２】
カバーシート１３の前後方向範囲は特に限定されず、液不透過性シート１１と同じか、又はそれよりも広い範囲とすることができる。図中の符号１３ｙはカバーシート１３の全長を示している。例えば、前身頃Ｆ及び後身頃Ｂの少なくとも一方で、図９に示すように、カバーシート１３はウエスト開口ＷＯに向かって延び、ウエスト開口ＷＯの縁を回り込んで外装体１２Ｆ，１２Ｂの内側に折り返されていてもよい。これにより、カバーシート１３の前縁及び後縁が製品外面に露出せず、外観が良好となる。また、カバーシート１３の前縁及び後縁が衣類と擦れて剥離するといった事態が発生しにくくなる。
【００９３】
特に、図示形態のように、カバーシート１３が内装体２００のウエスト開口ＷＯ側の端部上まで延在されていると、外装体１２Ｆ，１２Ｂの外側シート層１２Ｓの折り返し部分１２ｒを省略することができる。この場合、液不透過性シート１１をカバーシート１３と同じに外装体１２Ｆ，１２Ｂの内側に折り返してもよいが、図示形態のように、液不透過性シート１１のウエスト開口ＷＯ側の縁はウエスト開口ＷＯよりも股間側に離間していることが好ましい。
【００９４】
カバーシート１３の幅方向範囲は特に限定されず、後述する製造方法を考慮すると、図１０に示すように液不透過性シート１１と同じとすることが好ましいが、図３に示すように液不透過性シート１１よりも広い範囲とすることもできる。図中の符号１３ｘはカバーシート１３の全幅を示している。ただし、カバーシート１３が伸縮領域Ａ２まで延びていると、カバーシート１３にも収縮皺が形成されるため、カバーシート１３の側端部が剥離しやすくなったり、皺が目立って不自然な見た目となったりする。これに対し、カバーシート１３が、非伸縮領域Ａ１の幅方向範囲内に設けられていると、カバーシート１３の全体にわたり皺が少なく、美観に優れたものとなるため好ましい。また、カバーシート１３の両側縁が、吸収要素５０の両側縁の位置よりも幅方方向中央側に位置していると、より好ましい。すなわち、カバーシート１３の側端部は、剛性が低い部分に位置していたり、変形を受けやすかったりすると、対向面に接着されていたとしても剥離するおそれがある。また、カバーシート１３の側端部が装着者の脚に擦れやすいと、より剥離のおそれが高いものとなるとともに、段差が肌触りを悪化させるおそれがある。これに対して、カバーシート１３の側端部が、吸収要素５０を有する領域、つまり周囲よりも高剛性で変形を受けにくく、装着者の脚が擦れにくい領域内に位置していると、肌触りが悪化しにくく、かつ側端部が対向面に接着されている場合にはその接着が剥離しにくいものとなる。なお、このような構造とするためには、内装体２００における吸収要素５０の両側部の裏側に、前述の立体ギャザー６０の防水フィルム６４等の液不透過性シート１１を設け、外装体１２Ｆ，１２Ｂの外側に設ける液不透過性シート１１の幅を狭くすることが必要となる。
【００９５】
カバーシート１３に用いる不織布の繊維の種類や、繊維の結合（交絡）の加工方法は特に限定されず、外装シート１２Ｆ，１２Ｂの素材と同様のものを適宜選択することができるが、エアスルー不織布を用いることが望ましい。また、カバーシート１３の目付けは２０〜４０ｇ／ｍ2程度が好ましい。さらに、カバーシート１３の厚みは０．３〜１．０ｍｍであると好ましく、内側シート層１２Ｈ及び外側シート層１２Ｓが不織布である場合、内側シート層１２Ｈ及び外側シート層１２Ｓのそれぞれの厚みよりも薄くてもよいが、内側シート層１２Ｈ及び外側シート層１２Ｓのそれぞれの厚みよりも厚いことが好ましい。他方、内側シート層１２Ｈ及び外側シート層１２Ｓが不織布である場合、内側シート層１２Ｈ、外側シート層１２Ｓ及びカバーシート１３の繊維配向が幅方向ＷＤで一致していると縦横の引張伸度(あるいは引張伸度の縦横比)が近くなるため、使用中に変形したとき、内側シート層１２Ｈ、外側シート層１２Ｓ及びカバーシート１３が一体的に変形することができ、カバーシート１３の側端部が剥離しにくくなるため好ましい。カバーシート１３は、液不透過性シート１１又は装飾印刷２７を有する領域と重なる部分は一層であることが好ましいが、これら以外の領域では二層とすることも可能であり、例えば図２２に示すように、カバーシート１３の両側部を別途不織布を貼り付けることにより二層構造とし、その層間に前後方向ＬＤに沿って弾性部材１３Ｇを取り付け、当該部分を前後方向に伸縮可能とすることも可能である。
【００９６】
カバーシート１３は、表裏に貫通する孔を有しない無孔不織布を用いてもよいが、本形態では、表裏に貫通する孔１４が間隔を空けて多数設けられた有孔不織布となっていると、通気性が向上するだけでなく、液不透過性シートの装飾印刷の視認性た良好となるため好ましい。
【００９７】
カバーシート１３に有孔不織布を用いる場合、カバーシート１３の前後方向ＬＤの一部に孔１４の無い領域を有していてもよいが、通気性向上効果を考慮すると前後方向全体にわたり設けられていることが望ましい。一方、カバーシート１３の幅方向ＷＤの両端部に孔１４の無い領域を有している形態では、カッターによる打ち抜き以外の方法で孔１４を開けると、後述するように孔１４の周囲部１４ｅの繊維が外側又は垂直方向に退けられて孔１４の周囲部１４ｅが反り返り、有孔領域の厚みが無孔領域よりも厚くなるため、カバーシート１３の資材をロール状態で保管する際、無孔領域の部分が緩く巻かれた状態になり、両側部の無孔領域に皺や折れが形成されるおそれがある。よって、図示形態のように幅方向ＷＤの全体にわたり孔１４が形成されていることが望ましい。なお、カバーシート１３への孔形成をおむつの製造工程において行うことにより、孔のない資材を使用することができ、孔形成部位も任意にコントロールすることが可能となるが、孔形成設備を導入することにより製造全体が大きくなって費用やメンテナンスの負担が大きくなり、また、高速ラインにおいては孔形状や柔らかさの調整が難しくなるといった問題がある。よって、前後方向及び幅方向の全体にわたり孔が形成された資材を用いて製造するのが好ましい。
【００９８】
個々の孔１４の平面形状（開口形状）は、適宜定めることができ、図１７（ａ）（ｂ）に示すような長孔形とする他、図１７（ｃ）（ｅ）に示すような真円形、図１７（ｄ）に示すような楕円形、三角形、長方形、ひし形等の多角形、星形、雲形等、任意の形状とすることができる。個々の孔１４の寸法は特に限定されないが、前後方向ＬＤの最大寸法１４Ｌは０．４〜１．８ｍｍ、特に０．８〜１．３ｍｍとするのが好ましく、幅方向ＷＤの最大寸法１４Ｗは０．３〜１．５ｍｍ、特に０．５〜１．０ｍｍとするのが好ましい。孔１４の形状が、長孔形、楕円形、長方形、ひし形等のように一方向に長い形状の場合、長手方向の最大寸法はこれと直交する方向の最大寸法の２．５倍以下であることが好ましい。また、孔１４の形状が一方向に長い形状の場合、孔１４の長手方向が前後方向ＬＤであることが望ましいが、幅方向ＷＤや斜め方向であってもよい。
【００９９】
個々の孔１４の面積及び面積率は適宜定めればよいが、面積は０．２〜２．５ｍｍ2（特に０．５〜１．５ｍｍ2）程度であることが好ましく、面積率は１．０〜１５．０％（特に５．０〜１０．０％）程度であることが好ましい。
【０１００】
孔１４の平面配列は適宜定めることができるが、規則的に繰り返される平面配列が好ましく、図１７（ａ）に示すような斜方格子状や、図１７（ｂ）に示すような六角格子状（これらは千鳥状ともいわれる）、図１７（ｃ）に示すような正方格子状、図１７（ｄ）に示すような矩形格子状、図１７（ｅ）に示すような平行体格子（図示のように、多数の平行な斜め方向の列の群が互いに交差するように２群設けられる形態）状等（これらが前後方向ＬＤに対して９０度未満の角度で傾斜したものを含む）のように規則的に繰り返されるものの他、孔１４の群（群単位の配列は規則的でも不規則でも良く、模様や文字状等でも良い）が規則的に繰り返されるものとすることもできる。
【０１０１】
孔１４の前後方向間隔１４ｙ及び幅方向間隔１４ｘは適宜定めることができるが、通気性を考慮すると、それぞれ０．５〜８ｍｍ、特に１〜５ｍｍの範囲内とすることが望ましく、前後方向間隔１４ｙと幅方向間隔１４ｘを平均すると１〜５ｍｍの範囲内とすることが好ましい。特に、図１７（ｄ）に示すように、孔１４の形状を前後方向ＬＤに細長い形状とするとともに、孔１４の前後方向寸法１４Ｌよりも狭い前後方向間隔１４ｙで前後方向に並ぶ孔１４の列が幅方向ＷＤに所定の間隔で繰り返し、かつその幅方向間隔１４ｘは孔１４の前後方向寸法１４Ｌよりも広い（さらに、孔１４の幅方向寸法１４Ｗの３倍以上であるとより好ましい）と、通気性の向上を顕著なものとしつつ、柔らかさや嵩高さも損なわず、また、製造時に重要な前後方向のシートの引張強度の低下がないため好ましい。
【０１０２】
孔１４の断面形状としては、図１４に示すように孔１４の周囲から孔１４の縁に近づくにつれて不織布の厚みが薄くなり、孔１４の縁が不織布の厚み方向の中間に位置している第１形態、図１５に示すように孔１４の周囲部１４ｅが表側に反り返っており、かつ反り返り高さ１４ｈがほぼ均一である第２形態、及び図１６に示すように孔１４の周囲部１４ｅが表側に反り返っているとともに、周囲部１４ｅは反り返り高さ１４ｉが最も高い対向部分と、これと直交する方向に対向する対向部分であって反り返り高さ１４ｊが最も低い部分とを有する高い第３形態のいずれであってもよい。通気性の観点からは孔１４を有する部分が周囲と比較して厚くなる第２形態及び第３形態が望ましく、特に第３形態は孔１４の周囲部１４ｅの反り返り高さ１４ｉ，１４ｊの差により形成される隙間が通気性向上に寄与するため好ましい。第２及び第３の形態において、反り返り高さ１４ｇ，１４ｈ，１４ｉ（光学顕微鏡を用いて測定される圧力を加えない状態での見かけの高さ）は０．２〜１．２ｍｍ程度であることが好ましく、第３の形態において最も高い反り返り高さ１４ｉは、最も低い反り返り高さ１４ｊの１．１〜１．４倍程度であることが好ましい。
【０１０３】
孔１４は、縁部が繊維の切断端により形成されている打ち抜き孔１４であっても、孔１４の縁部に繊維の切断端がほとんど無く、ピンが繊維間に挿入されて押し広げられて形成された非打ち抜き孔１４（周囲部の繊維密度が高い）であってもよい。前者は上記第１形態に適しており、後者は上記第２形態・第３形態に適している。例えば、一方向に長い形状の孔１４をピンの挿入により形成すると、孔１４の周囲部１４ｅの繊維が外側又は垂直方向に退けられて孔１４の周囲部１４ｅが反り返るとともに、孔１４の長手方向の対向部分の反り返り高さｉが、長手方向と直交する方向の対向部分の反り返り高さｊよりも高くなる。上記第２形態・第３形態においては、孔１４の周囲部１４ｅが表面に反り返っている部分の縁部は、繊維密度がその周囲の部分と比べて低い場合もあるが、同程度又は高くなっているのが好ましい。また、孔１４の周囲部１４ｅの繊維同士が融着していることが望ましいが、融着していなくてもよい。
【０１０４】
カバーシート１３の内面は、カバーシート１３及び液不透過性シート１１の前後方向範囲及び幅方向範囲が一致しているときには液不透過性シート１１のみにホットメルト接着剤１３Ｈを介して接着され（幅方向範囲が一致している形態は図１０参照）、図３に示すようにカバーシート１３が液不透過性シート１１よりも大きい場合には液不透過性シート１１と重なる部分は液不透過性シート１１に、及び液不透過性シート１１からはみ出た部分が外装体にそれぞれホットメルト接着剤１３Ｈを介して接着される。
【０１０５】
カバーシート１３は、前後端部（２〜１０ｍｍ）を除いた主要領域では、少なくとも両側端部、好ましくは幅方向ＷＤの全体にわたり対向面に接着されていると、カバーシート１３の側端部が対向面に接着されているため、境界が継ぎ目なく一体化し、目立たつことがないため好ましい。カバーシート１３の前後端部は、外装体１２Ｆ，１２Ｂに対して非接着とする他、主要領域と同様に接着することもできる。特に、外側シート層１２Ｓが不織布であり、液不透過性シート１１の両側縁の位置がカバーシート１３の両側縁の位置と一致している場合、カバーシート１３の内面は、その前後端部を除いた領域では、少なくとも両側端部が液不透過性シート１１にホットメルト接着剤１３Ｈを介して接着されるとともに、液不透過性シート１１の内面は、その前後端部を除いた領域では、少なくとも両側端部が外装体１２Ｆ，１２Ｂにホットメルト接着剤１１Ｈを介して接着されていると、カバーシート１３の両側端部が、樹脂フィルムからなる液不透過性シート１１を介して、不織布からなる外側シート層１２Ｓに接着されるため、カバーシート１３の両側端部と外側シート層１２Ｓとの接合が強固となる。
【０１０６】
孔１４を有するカバーシート１３の場合、一つの好ましい接着構造は、図１８に示すように、カバーシート１３の内面及び外面の少なくとも一方の接着領域のうち、孔１４と重なる領域の周縁部１４ｉより中央側にはホットメルト接着剤１３Ｈがなく、孔１４と重なる領域の周縁部１４ｉ以外ではホットメルト接着剤１３Ｈが連続面状に存在しているものである。孔１４と重なる領域の周縁部１４ｉより中央側にはホットメルト接着剤１３Ｈがないため、通気性に優れるものとなる。また、肌に触れる面と反対側の面のみ、このような接着構造を有する部分では、ホットメルト接着剤１３Ｈによりべとべとした肌触りになりにくく、かつ孔１４の周囲部１４ｅは対向面に確実に固定される。
【０１０７】
代表的な接着状態としては、図１８（ａ）（ｂ）に示すように、孔１４と重なる領域にはホットメルト接着剤１３Ｈがなく、孔１４と重なる領域以外ではホットメルト接着剤１３Ｈが連続面状に存在している状態、図１８（ｃ）（ｄ）に示すように、孔１４と重なる領域の周縁部１４ｉにホットメルト接着剤１３Ｈがはみ出しているが、孔１４と重なる領域の周縁部１４ｉより中央側にはホットメルト接着剤１３Ｈがなく、孔１４と重なる領域の周縁部１４ｉ以外ではホットメルト接着剤１３Ｈが連続面状に存在している状態を例示することができる。前者の状態は、特に望ましい状態であるが、孔１４と重なる領域の周縁部１４ｉは孔１４の周囲部１４ｅに近接する部分であり、カバーシート１３は一定の厚みを有するため、後者のようにこの部分にホットメルト接着剤１３Ｈがはみ出していても、肌に触れる面と反対側の面のみ接着した部分において、カバーシート１３における接着面と反対側の面に手で触れたときにホットメルト接着剤１３Ｈに直接触れることはほとんどない。なお、孔１４と重なる領域の周縁部１４ｉにおけるホットメルト接着剤１３Ｈのはみ出し幅はカバーシート１３の厚みの半分以下で、０．５ｍｍ以下程度であることが好ましい。また、孔１４と重なる領域の面積の８０％以上の部分にホットメルト接着剤１３Ｈが存在しないことが望ましい。
【０１０８】
カバーシート１３における孔１４の断面形状は限定されるものではないが、前述のように孔１４の周囲部１４ｅが液不透過性シート１１側に反り返った反り返り部となっていると、液不透過性シート１１側と反対側の面から見た孔径の割には液不透過性シート１１側から見た孔径が小さくなる。よって、肌に触れる面と反対側の面のみ接着した部分において、接着面と反対側の面に手で触れたときにホットメルト接着剤１３Ｈに触れにくくなる。また、反り返り部は支柱のようにカバーシート１３を対向面に対して支持するため、同じ目付けの無孔不織布と比較して嵩高くなり、通気性にも優れたものとなる。さらに、孔１４の周囲部１４ｅ以外の領域では、カバーシート１３と液不透過性シート１１の接着が浮きやすくなる（図１８ではホットメルト接着剤１３Ｈがシート間の空間を隙間なく埋めているように描いているが実際の塗布量は少なく隙間ができやすい）ため、孔１４の周囲部１４ｅは確実に接着しつつ、それ以外の領域では不完全な接着となる（実質的な接着面積が小さくなる）ことにより、優れた柔らかさ・ふんわり感を得ることができる。
【０１０９】
このような接着構造は、有孔不織布における接着面に、エアーを用いずに連続面状にホットメルト接着剤を塗布し、対向面に接着することにより製造することができる。この手法は、有孔不織布における接着面に、エアーを用いずに連続面状にホットメルト接着剤を連続面状に塗布すると、対向面と貼り合わせる前に、ホットメルト接着剤の表面張力により、ホットメルト接着剤における有孔不織布の孔と重なる部分の中央に口（孔）が開いてその開口が有孔不織布の孔の周囲部まで拡大する、との新規な知見に基づくものである。すなわち、このような接着方法を採用すると、図１９に矢印で変化を示すように、有孔不織布にホットメルト接着剤１３Ｈを連続面状に塗布した後、対象部材と貼り合わせる前に、ホットメルト接着剤１３Ｈの表面張力により、ホットメルト接着剤１３Ｈにおける有孔不織布の孔１４と重なる部分の中央に口（孔）ｈが開いてその開口ｈが有孔不織布の孔１４の周囲部１４ｅまで拡大する。したがって、有孔不織布を対象部材に接着した後に、図１８に示す例のように、孔１４内の大部分にホットメルト接着剤１３Ｈがないものとなり、エアーによる孔１４からのホットメルト接着剤１３Ｈの抜けや染み出しもないため、接着面と反対側の面に手で触れたときにべとべとした肌触りになりにくいものとなる。
【０１１０】
エアーを用いずに連続面状にホットメルト接着剤を塗布するホットメルトアプリケータ１７０としては、有孔不織布の接着面に塗工ヘッド（ダイ）を接触させ、塗工ヘッドの先端に設けられたＣＤ方向（ＭＤ方向（製造ラインの流れ方向）と直交する方向）に沿うスリットからホットメルト接着剤を押し出して塗布を行うスロットコート、あるいは有孔不織布の接着面から塗工ヘッド（ダイ）を浮かせた状態で、塗工ヘッドの先端に設けられたＣＤ方向に沿うスリットからホットメルト接着剤を押し出し、有孔不織布の移送速度との差によりホットメルト接着剤を延伸して極薄フィルム状に塗付する非接触タイプのスロットコートを好適に用いることができる。
【０１１１】
接着条件は適宜定めることができるが、孔１４と重なるホットメルト接着剤１３Ｈを速やかに孔１４の周囲部１４ｅに移動させ、孔１４の周囲部１４ｅを強固に接着するためには、以下の条件の少なくとも１つを満足することが望ましい。
ホットメルト接着剤の溶融粘度（温度１４０℃）：３，０００〜２，６００ｍｐａｓ
ホットメルト接着剤の溶融粘度（温度１６０℃）：１，１５０〜１，５５０ｍｐａｓ
有孔不織布に対するホットメルト接着剤の塗布時の温度：１１０〜１５０℃
有孔不織布に対するホットメルト接着剤の塗布量：１．０〜８．０ｇ／ｍ2
ホットメルト接着剤の塗布後のオープンタイム：０．１〜１．０秒
【０１１２】
＜他の形態＞
図２３〜図２５に示すように、液不透過性シート１１を内装体２００に取り付けた従来構造を採用しつつ、外装体１２Ｆ，１２Ｂにおける外側シート層１２Ｓより外側を通り前後方向に延びるカバーシート１３を設けることもできる。この形態で液不透過性シート１１に装飾印刷２７を設ける場合、図示形態のように外装二分割構造を採用し、前側外装体１２Ｆ及び後側外装体１２Ｂが前後方向ＬＤに離間する部分に液不透過性シート１１の装飾印刷２７を有する部分を露出させると、これをカバーシート１３により被覆した部分ではカバーシート１３のみを通して装飾印刷２７が透けて見えるようになるため、液不透過性シート１１の装飾印刷２７の視認性を向上させることができる。また、カバーシート１３は、少なくとも前側外装体１２Ｆから後側外装体１２Ｂまで前後方向ＬＤに延びているため、前側外装体１２Ｆ及び後側外装体１２Ｂにわたり連続した外観及び肌触りとなる。
【０１１３】
図２３〜図２５に示すように、液不透過性シート１１を内装体２００に取り付けた従来構造を採用しつつ、外装体１２Ｆ，１２Ｂにおける外側シート層１２Ｓより外側を通り前後方向に延びるカバーシート１３を設ける場合、液不透過性シート１１における外装体１２Ｆ，１２Ｂにより覆われる部分まで、カバーシート１３が液不透過性シート１１を覆う必要がないため、図２５に示すように、カバーシート１３の前縁は吸収要素５０の前縁より後側に位置し、カバーシート１３の後縁は吸収要素５０の後縁より前側に位置しているのも好ましい形態である。すなわち、カバーシート１３の前縁及び後縁は、剛性が低い部分に位置していたり、変形を受けやすかったりすると、対向面から離間しやすく、対向面に接着されていたとしても剥離するおそれがある。そして、カバーシート１３の前縁及び後縁が対向面から離間又は剥離すると、カバーシート１３と外装体との境界部分の皺が目立って不自然な見た目になりやすい。これに対して、カバーシート１３の前縁及び後縁が、吸収要素５０を有する領域、つまり周囲よりも高剛性で変形を受けにくい領域内に位置していると、対向面から離間又は剥離しにくくなり、カバーシート１３と外側シート層１２Ｓとの境界部分の皺が目立って不自然な見た目となる事態を防止することができる。
【０１１４】
装飾印刷シートは、液不透過性シート１１のみとする他、液不透過性シート１１に装飾印刷２７を設けるのに代えて、又は液不透過性シート１１に装飾印刷２７を設けるとともに、図２３〜図２５に示すように装飾専用の印刷シート２５を適所に設けることもできる。符号２５Ｈは印刷シート２５を貼り付けるためのホットメルト接着剤を示している。印刷シート２５を設ける位置は特に限定されるものではないが、例えば、図示形態のように、外装体１２Ｆ，１２Ｂにおける外側シート層１２Ｓより外側に印刷シート２５を設け、そのさらに外側にカバーシート１３を接着する形態とすると、印刷シート２５における装飾印刷を有する部分のほぼ全体をカバーシート１３のみで覆う形態となり、装飾印刷の視認性に優れるようになるため好ましい。
【０１１５】
印刷シート２５の基材としては、印刷に適したものであれば特に限定されず、例えばクレープ紙等の紙、又は樹脂フィルム等を使用することができる。クレープ紙を用いる場合、その厚みは１００〜１５０μｍであると好ましく、密度は１００〜２００ｋｇ／ｍ3であると好ましい。このような厚み及び密度のクレープ紙は、目付け１０ｇ／ｍ2以上でクレープ率を１０％前後とすることにより製造することができる。なお、密度は、目付け及び厚みから算出することができる。また、クレープ率とは、（（ヤンキードライヤーの周速）−（巻き取りリールの周速））／（ヤンキードライヤーの周速）×１００（％）で算出される値である。印刷シート２５の装飾印刷としては、装飾のための模様（絵やワンポイントのキャラクター含む）、使用方法や使用補助、サイズ等の機能表示、あるいは製造者や製品名、特徴的機能等の標章表示等、適宜の装飾印刷を採用することができる。
【０１１６】
＜製造方法について＞
カバーシート１３の少なくとも両側端部がホットメルト接着剤１３Ｈを介して接着されている構造は、例えば図２０に示す製造方法により製造することができる。すなわち、この製造方法は、図示しない外装体組立工程と、弾性部材切断工程３０１と、内装体取付工程３０２と、カバーシート接着工程３０３と、ウエスト部折り返し工程３０４と、図示しない折り畳み工程と、図示しない側部接合切り離し工程とを含むものである。なお、図２０の（ａ）は製造設備のフロー図であり、（ｂ）は組立状態の変化を示す平面図であり、両図は対応するように描かれている。
【０１１７】
外装体組立工程では、ＭＤ方向に連続的に供給される弾性部材を挟むように、ＭＤ方向に連続する一枚のシート材をＣＤ方向に折り畳むか、又はＭＤ方向に連続する二枚のシート材を貼り合わせることにより、弾性部材が内側シート層及び外側シート層間に介在する外装帯状体１２０を形成する。外装帯状体１２０は、外装体となる部分がその幅方向ＷＤと製造ラインにおけるＭＤ方向とが一致するようにＭＤ方向に繰り返し連続するものである。図示形態は外装二分割タイプの前側外装体１２Ｆとなる部分を含む外装帯状体１２０と、後側外装体１２Ｂとなる部分を含む外装帯状体１２０とを別々に形成しているが、外装一体タイプの場合には外装帯状体１２０は一本となることはいうまでもない。
【０１１８】
次いで、形成した外装帯状体１２０に対して、必要に応じて弾性部材切断工程３０１を行い、ＭＤ方向に所定の間隔を空けて、後に内装体２００と重なる部分ＣＴに位置する弾性伸縮部材１２１をヒートエンボス等の切断装置３１０により切断し、当該部分ＣＴにおいて弾性伸縮部材１２１の収縮力が実質的に作用しない状態とする。
【０１１９】
内装体取付工程３０２では、外装帯状体１２０をおむつの展開状態と同様の配置でＣＤ方向に間隔を空けて平行に移送しつつ、この外装帯状体１２０における個々の外装体となる部位に、別ラインで公知の手法により同時並行的に製造した展開状態の内装体２００を順次接合することによって、個々のおむつとなる部分が展開状態でＭＤ方向に連続する内装組み付け体を形成する。これらの接合及び固定はホットメルト接着剤等の適宜手段により行うことができる。
【０１２０】
カバーシート接着工程３０３では、外装帯状体１２０における内装体２００の接合面と反対側の面に、ＭＤ方向に間隔を空けてカバーシート１３を接着する。カバーシート接着工程３０３は、折り畳み工程よりも前であればよいが、カバーシート１３は前身頃Ｆから後身頃Ｂにわたるものであるため、けられるため、図示形態のような外装二分割タイプの場合は、前側外装体１２Ｆとなる部分を含む外装帯状体１２０と、後側外装体１２Ｂとなる部分を含む外装帯状体１２０との位置関係が定まる位置よりも後、つまり内装体取付工程３０２の後が好ましい。
【０１２１】
ウエスト部折り返し工程３０４では、外装帯状体１２０のＣＤ方向外側の端部１２２をＣＤ方向中央側に折り返すとともに、この折り返し部分の下にＭＤ方向に連続的に弾性部材１２３を挟み込む。これにより、ウエスト部弾性部材１７の取り付けと、折り返し部分１２ｒの形成を行うことができる。
【０１２２】
以後は、図示しないが、公知の手法によりパンツタイプ使い捨ておむつを製造することができる。すなわち、折り畳み工程では、外装帯状体１２０に内装体２００を取り付け、かつカバーシート１３を取り付けた後の内装組み付け体をＣＤ方向に二つ折りすることによって、二つ折り帯状体を形成し、側部接合切り離し工程では、二つ折り帯状体における個々のおむつの両側部となる部分において前身頃の外装体及び後身頃の外装体を接合するとともに、個々のおむつの境界において前身頃の外装体及び後身頃の外装体を切断することにより、個々のおむつを得る。
【０１２３】
特徴的には、カバーシート接着工程３０３では、帯状に連続するカバーシートの帯状体１３０をその連続方向に沿って搬送しつつ、その外装帯状体１２０に対する接着面に、塗布装置３１２によりＭＤ方向に連続的にホットメルト接着剤を塗布した後、スリップカッター３１１によりＭＤ方向に間隔を空けて個々のカバーシート１３に切断し、この切断したカバーシート１３を、外装帯状体１２０における内装体２００の接合面と反対側の面に、ＭＤ方向に間隔を空けて接着する。これにより、カバーシート１３の前後端部以外は、カバーシート１３のちょうど側縁まで幅方向ＷＤに連続的にホットメルト接着剤を塗布することができ、ホットメルト接着剤のはみ出しなく、カバーシート１３の側端部を対向面にしっかりと接着することができる。
【０１２４】
特に、図示形態のように、カバーシート接着工程３０３の前に、カバーシートの帯状体１３０における外装帯状体１２０に対する接着面に、装飾印刷を施した樹脂フィルムからなる液不透過性シートの帯状体１１１をＭＤ方向に連続的に接着する樹脂フィルム接着工程３０５を付加するのは一つの好ましい形態である。符号３１３は、カバーシートの帯状体１３０における液不透過性シートの帯状体１１１との接着面に、ホットメルト接着剤を塗布する塗布装置を示している。これにより、カバーシート接着工程３０３では、液不透過性シートの帯状体１１１を接着したカバーシートの帯状体１３０における、外装帯状体１２０に対する接着面に、塗布装置３１２によりＭＤ方向に連続的にホットメルト接着剤を塗布した後、スリップカッター３１１によりＭＤ方向に間隔を空けて個々のカバーシート１３及び液不透過性シート１１に切断し、この切断したカバーシート１３及び液不透過性シート１１を、外装帯状体１２０における内装体２００の接合面と反対側の面に、ＭＤ方向に間隔を空けて接着することとなる。また、この場合、製品におけるカバーシート１３の両側縁と液不透過性シート１１の両側縁とが一致するものとなる。この形態では、カバーシート１３の帯状体に樹脂フィルムからなる液不透過性シートの帯状体１１１を貼り付けた後に、個々のカバーシート１３に切断して外装帯状体１２０に貼り付けるため、切断後の個々のカバーシート１３の剛性が樹脂フィルム１１を有する分だけ高くなるとともに、通気性が顕著に下がるため、スリップカッター装置３１１により図中矢印で示すように吸引保持し、外装帯状体１２０に対対して間欠貼り付けする際に形状及び吸引保持性が安定し、安定した貼り付けが可能となる。
【０１２５】
図示しないが、カバーシートの帯状体１３０に液不透過性シートの帯状体１１１を貼り付けるのではなく、カバーシート１３を接着する前の外装帯状体１２０に液不透過性シート１１を接着し、さらにその上からカバーシート１３を接着してもよい。また、内装体２００における吸収要素の裏側に、液不透過性シート１１を設ける場合には、図示しない内装体２００の製造工程で液不透過性シート１１を貼り付けることとし、カバーシートの帯状体１３０や外装帯状体１２０に液不透過性シート１１を貼り付ける工程は省略することができる。
【０１２６】
カバーシート１３が有孔不織布である場合、カバーシート１３として予め加工済みの有孔不織布を用いることもできるが、資材コストを削減するためにはインラインでの加工が好ましい。しかし、不織布に穿孔加工を施す場合、加工ラインの速度が速いほど安定して高精度の加工を行うことは困難となる。これに対して、図示形態の製造方法におけるカバーシート接着工程３０３では、切断及び間欠貼り付けを行うことに起因して、カバーシート接着工程３０３に対するカバーシートの帯状体１３０の供給速度が遅くなるため、図示形態のように、カバーシート接着工程３０３に対するカバーシート１３の帯状体の供給ラインに穿孔装置３１４を付加し、カバーシート１３に対する穿孔工程３０６を行うと、安定した穿孔加工が可能となるため好ましい。
【０１２７】
＜明細書中の用語の説明＞
明細書中の以下の用語は、明細書中に特に記載が無い限り、以下の意味を有するものである。
【０１２８】
・「前後（縦）方向」とは腹側（前側）と背側（後側）を結ぶ方向を意味し、「幅方向」とは前後方向と直交する方向（左右方向）を意味する。
【０１２９】
・「ＭＤ方向」とは製造ラインの流れ方向を意味し、マシン方向の略称であり、「ＣＤ方向」とは、ＭＤ方向と直交する横方向を意味し、クロス方向の略称であり、いずれか一方が製品の前後方向となるものであり、他方が製品の幅方向となるものである。不織布のＭＤ方向は、不織布の繊維配向の方向である。
【０１３０】
・「繊維配向」とは、不織布の繊維が沿う方向であり、例えば、ＴＡＰＰＩ標準法Ｔ４８１の零距離引張強さによる繊維配向性試験法に準じた測定方法や、前後方向及び幅方向の引張強度比から繊維配向方向を決定する簡易的測定方法により判別することができる。
【０１３１】
・「表側」とはパンツタイプ使い捨ておむつを着用した際に着用者の肌に近い方を意味し、「裏側」とはパンツタイプ使い捨ておむつを着用した際に着用者の肌から遠い方を意味する。
【０１３２】
・「表面」とは部材の、パンツタイプ使い捨ておむつを着用した際に着用者の肌に近い方の面を意味し、「裏面」とはパンツタイプ使い捨ておむつを着用した際に着用者の肌から遠い方の面を意味する。
【０１３３】
・「面積率」とは単位面積に占める対象部分の割合を意味し、対象領域（例えばカバーシート）における対象部分（例えば孔）の総和面積を当該対象領域の面積で除して百分率で表すものである。対象部分が間隔を空けて多数設けられる形態では、対象部分が１０個以上含まれるような大きさに対象領域を設定して、面積率を求めることが望ましい。例えば、孔の面積率は、例えばＫＥＹＥＮＣＥ社の商品名ＶＨＸ−１０００を使用し、測定条件を２０倍として、以下の手順で測定することができる。
（１）２０倍のレンズにセットし、ピントを調節する。穴が４×６入るように不織布の位置を調整する。
（２）孔の領域の明るさを指定し、孔の面積を計測する。
（３）「計測・コメント」の「面積計測」の色抽出をクリックする。孔の部分をクリックする。
（４）「一括計測」をクリックし、「計測結果ウィンドを表示」にチェックを入れ、ＣＳＶデータで保存をする。
【０１３４】
・「伸長率」は、自然長を１００％としたときの値を意味する。
【０１３５】
・「ゲル強度」は次のようにして測定されるものである。人工尿（尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したもの）４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【０１３６】
・「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、２０倍して１平米あたりの重さを算出し、目付けとする。
【０１３７】
・「厚み」は、自動厚み測定器（ＫＥＳ−Ｇ５  ハンディ圧縮計測プログラム）を用い、荷重：１０ｇｆ／ｃｍ2、及び加圧面積：２ｃｍ2の条件下で自動測定する。
【０１３８】
・吸水量は、ＪＩＳ  Ｋ７２２３−１９９６「高吸水性樹脂の吸水量試験方法」によって測定する。
【０１３９】
・吸水速度は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【０１４０】
・「展開状態」とは、収縮や弛み無く平坦に展開した状態を意味する。
【０１４１】
・各部の寸法は、特に記載が無い限り、自然長状態ではなく展開状態における寸法を意味する。
【０１４２】
・試験や測定における環境条件についての記載が無い場合、その試験や測定は、標準状態（試験場所は、温度２０±５℃、相対湿度６５％以下）の試験室又は装置内で行うものとする。
【産業上の利用可能性】
【０１４３】
本発明は、パンツタイプ使い捨ておむつに利用できるものである。
【符号の説明】
【０１４４】
１１…液不透過性シート、１２Ａ…サイドシール部、１２Ｂ…後側外装体、１２Ｆ…前側外装体、１２Ｈ…内側シート層、１２Ｓ…外側シート層、１３…カバーシート、１４…孔、１７…ウエスト部弾性部材、１８…不要弾性部材、２００…内装体、２０１，２０２…内外接合部、２７…装飾印刷、３０…トップシート、３０１…弾性部材切断工程、３０２…内装体取付工程、３０３…カバーシート接着工程、３０４…ウエスト部折り返し工程、３０５…樹脂フィルム接着工程、３０６…穿孔工程、４０…中間シート、５０…吸収要素、５６…吸収体、５８…包装シート、６０…立体ギャザー、６０Ａ…先端側部分、６０Ｂ…付け根側部分、６２…ギャザー不織布、６７…倒伏部分、Ａ１…非伸縮領域、Ａ２…伸縮領域、Ｂ…後身頃、Ｃ…臀部カバー部、Ｆ…前身頃、Ｌ…中間領域、ＬＤ…前後方向、Ｔ…胴周り領域、Ｕ…ウエスト下方部、Ｗ…ウエスト部、ＷＤ…幅方向、ＷＯ…ウエスト開口、２５…印刷シート。
【図１】
2018093948.tif 000003
【図２】
2018093948.tif 000004
【図３】
2018093948.tif 000005
【図４】
2018093948.tif 000006
【図５】
2018093948.tif 000007
【図６】
2018093948.tif 000008
【図７】
2018093948.tif 000009
【図８】
2018093948.tif 000010
【図９】
2018093948.tif 000011
【図１０】
2018093948.tif 000012
【図１１】
2018093948.tif 000013
【図１２】
2018093948.tif 000014
【図１３】
2018093948.tif 000015
【図１４】
2018093948.tif 000016
【図１５】
2018093948.tif 000017
【図１６】
2018093948.tif 000018
【図１７】
2018093948.tif 000019
【図１８】
2018093948.tif 000020
【図１９】
2018093948.tif 000021
【図２０】
2018093948.tif 000022
【図２１】
2018093948.tif 000023
【図２２】
2018093948.tif 000024
【図２３】
2018093948.tif 000025
【図２４】
2018093948.tif 000026
【図２５】
2018093948.tif 000027